(57)【要約】【課題】箱形状のコンロ本体１にパイプ形状若しくは棒状の脚杆３を着脱自在に装着するバーベキューコンロにおいて、構造が簡易で且つ着脱操作が容易な脚装着構造を提供する。【解決手段】コンロ本体１の適宜位置（コンロ本体の外側内側に関わらずコンロ本体が脚杆で安定して支持される位置）の上下に脚杆径に対応する貫通孔２２，２３を設けると共に、上方貫通孔２２の上方位置に脚杆３の上端が衝突するストッパー部２４を設け、脚杆３の装着時に下方貫通孔２３の上方位置に対応する脚杆に、脚杆外周面に出没する抜け止め部３１を設けてなる。【選択図】図３
2020146156.tif 000002
【特許請求の範囲】
【請求項１】
箱形状のコンロ本体にパイプ形状若しくは棒状の脚杆を着脱自在に装着するバーベキューコンロにおける脚杆の装着構造であって、コンロ本体の適宜位置の上下に脚杆径に対応する貫通孔を設けると共に、上方貫通孔の上方位置に脚杆上端が衝突するストッパー部を設け、脚杆装着時に下方貫通孔の上方位置に対応する脚杆に、脚杆外周面に出没する抜け止め部を設けてなることを特徴とするバーベキューコンロの脚構造。
【請求項２】
コンロ本体の外周面に設けた上下突出部分に上下貫通孔を設けてなる請求項１記載のバーベキューコンロの脚構造。
【請求項３】
コンロ本体の側方にコンロ本体の延長として枠状部を形成すると共に、前記枠状部内の上方部分を覆う外側板を設け、前記枠状部を構成する底面板部に下方貫通孔を形成し、上方貫通孔及びストッパー部を前記外側板で隠蔽されるコンロ本体の側面板から突設した部材で形成してなる請求項２記載のバーベキューコンロの脚構造。
【請求項４】
コンロ本体の側面板にコ状部材を突設して上方貫通孔及びストッパー部を設けてなる請求項３記載のバーベキューコンロの脚構造。
【請求項５】
外側面の下縁を内方へ折曲して枠内底面板部を形成すると共に、前記枠内底面板部に上方貫通孔を形成してなる請求項３記載のバーベキューコンロの脚構造。
【請求項６】
抜け止め部を、外方に突出する突出部を出没自在で、且つ突出付勢して設けてなる請求項１乃至５記載の何れかのバーベキューコンロの脚構造。
【発明の詳細な説明】
【技術分野】
【０００１】
本発明は、箱形状のコンロ本体にパイプ形状若しくは棒状の脚杆を着脱自在に装着するバーベキューコンロ（以下「ＢＢＱコンロ」と表示する）における脚杆の装着構造に関するものである。
【背景技術】
【０００２】
コンロ本体に脚杆を着脱自在の装着する脚構造は種々知られている。例えば脚杆上部をコンロ本体の側面に螺子止めする手段（特許文献１）、コンロ本体の側面に形成した受筒部に脚杆先端部分を挿入し、受筒部外方より押圧ネジを装着して脚杆を固定する手段（特許文献２）、コンロ本体の側面に形成した受筒部に脚杆先端部分を挿入する手段（特許文献３）、コンロ本体の側面に固定脚杆貫通孔と自在鉤構造の貫通孔を設け、両貫通孔に脚杆を挿入すると共に、自在鉤構造部分で脚杆を固定する手段（特許文献４）などが開示されている。
【先行技術文献】
【特許文献】
【０００３】
【特許文献１】特開平９−４５９号公報。
【特許文献２】登録実用新案３０３１３９９号公報。
【特許文献３】登録実用新案３１８１２１１号公報。
【特許文献４】登録実用新案３１９１６０７号公報。
【発明の概要】
【発明が解決しようとする課題】
【０００４】
脚杆の着脱構造において、煩瑣な着脱操作を回避するにはネジによる脱着操作は煩瑣である。またコンロ本体の安定設置のために、脚杆はコンロ本体から外周方向に斜めに装着する必要があり、受筒部を採用する構造並び自在鉤固定構造では、受筒部材や自在鉤部分を正確な位置に組み込む（螺子止め・溶接）必要があり、製造上煩瑣である。
【０００５】
そこで本発明は、脚杆の脱着が容易で且つ製造容易とした新規なバーベキューコンロの脚構造を提案したものである。
【課題を解決するための手段】
【０００６】
本発明の請求項１記載に係るバーベキューコンロの脚構造は、箱形状のコンロ本体にパイプ形状若しくは棒状の脚杆を着脱自在に装着するバーベキューコンロにおける脚杆の装着構造であって、コンロ本体の適宜位置（コンロ本体の外側内側に関わらずコンロ本体が脚杆で安定して支持される位置）の上下に脚杆径に対応する貫通孔を設けると共に、上方貫通孔の上方位置に脚杆上端が衝突するストッパー部を設け、脚杆装着時に下方貫通孔の上方位置に対応する脚杆に、脚杆外周面に出没する抜け止め部を設けてなることを特徴とするものである。
【０００７】
而して上記発明は、脚杆を下方貫通孔から挿入して上方貫通孔まで挿通し、上端がストッパー部と衝突し、脚杆の取付方向（装着傾斜角度）が決定すると共に、抜け止め部が下方貫通孔の上方位置で突出することで脚杆の抜け方向の移動を阻止してコンロ本体に装着される。装着した脚杆は、抜け止め部の突出部分を脚杆内に没入させた状態で引き抜くことで取り外すことができる。
【０００８】
また請求項２記載に係るバーベキューコンロの脚構造は、上記の各脚構造において、特にコンロ本体の外周面に設けた上下突出部分に上下貫通孔を設けてなるもので、コンロ本体側の脚装着構造部分の形成が容易になされる。
【０００９】
また本発明の請求項３記載に係るバーベキューコンロの脚構造は、特に前記の脚構造において、コンロ本体の側方にコンロ本体の延長として枠状部を形成すると共に、前記枠状部内の上方部分を覆う外側板を設け、前記枠状部を構成する底面板部に下方貫通孔を形成し、上方貫通孔及びストッパー部を前記外側板で隠蔽されるコンロ本体の側面板から突設した部材で形成してなるものである。
【００１０】
従って、コンロ本体の製造時に脚杆装着部分を同時に形成できると共に、上方貫通孔及びストッパー部が外側板で隠蔽され外観上すっきりとしたデザインとなる。
【００１１】
また本発明の請求項６記載に係るバーベキューコンロの脚構造は、特に抜け止め部を、外方に突出する突出部を出没自在で、且つ突出付勢して設けてなるもので、付勢力に抗して突出部を没入させて下方貫通孔を通過させると、付勢力で抜け止め作用が発揮されることになる。
【発明の効果】
【００１２】
本発明の構成は上記のとおりで、コンロ本体に上下貫通孔及びストッパー部を設ける簡単な構造で、且つ上下貫通孔の位置の選択で脚杆の装着角度を容易に設定することができ、また脚杆の脱着操作も容易にしたものである。
【図面の簡単な説明】
【００１３】
【図１】本発明の実施形態（第一実施例）を示したバーベキューコンロの全体図。
【図２】同要部斜視図（脚杆装着前）。
【図３】同図（脚杆装着途中）。
【図４】同図（脚杆装着後）。
【図５】同コンロの要部側面図（脚杆装着）。
【図６】同側面視断面図。
【図７】同正面視断面図。
【図８】同別例図（第二実施例）。
【図９】同図（第三実施例）。
【発明を実施するための形態】
【００１４】
次に本発明の実施形態について説明する。図１乃至図７は本発明の第一実施例を示したもので、本発明が適用されるＢＢＱコンロは、箱状のコンロ本体１に脚装着部２を付設して、当該脚装着部２に脚杆３を着脱自在に装着するもので、コンロ本体１は従前のものと同様に、前後の周面板１１、左右の側面板１２、底板で上部開口の箱型本体を形成し、箱型本体内に火床等を組み入れ、上方開口部分に焼網１３を載置してなるものである。
【００１５】
脚装着部２は、箱型本体の両側に形成したもので、箱型本体の構成板部を延設して枠状部２１を形成すると共に、前記枠状部２１及び枠状部２１内に脚杆３の外径に対応する上下の貫通孔２２，２３及びストッパー部２４を形成したものである。
【００１６】
枠状部２１は、箱状本体の周面板１１と底面板を左右に延長すると共に、側面板１２の上端を側方に延長して全体を枠状に形成したものであり、更に側面板１２の延長である上面板部２１１を下方に折返して外側板２１２を設けたものである。
【００１７】
下方貫通孔２３は、枠状部２１を構成する底面板部２１３に設け、上方貫通孔２２及びストッパー部２４は、コ状部材２５を外側板２１２に隠蔽されるコンロ本体１の側面板１２から突設して、コ状部材２５の下方板２５１に上方貫通孔２２を設け、上方板２５２をストッパー部２４とするものである。
【００１８】
また上下貫通孔２２，２３の形成箇所は、装着される脚杆３の装着角度が所望の角度となる位置に定めるものである。
【００１９】
脚杆３は、パイプ形状で、所定位置（装着した際の下方貫通孔２３の上方位置）に抜け止め部３１を設けたものである。抜け止め部３１は、脚杆３の所定位置に縦溝孔３２を穿設し、パイプ内にＵ状としたバネ線材３３を組み入れ、前記縦溝孔３２から山形状に折り曲げた出没部３４をパイプ外周面から突出させてなるものである。
【００２０】
而して前記のＢＢＱコンロはコンロ本体１に脚杆３を装着することで使用状態とし、脚杆３を取り外すことで収納・運搬時のコンパクト化を実現しているものである。脚杆３の装着は、脚杆３を下方貫通孔２３から挿入して上方貫通孔２２をも挿通して上端がストッパー部２４に衝突する。この装着操作に際して出没部３４が下方貫通孔２３通過時に脚杆３内に埋没し、通過後突出し、抜け止め機能を奏するものである。
【００２１】
従って脚杆３の脱着は単に上下貫通孔２２，２３への挿入引き抜きで行われ、而も上下貫通孔２２，２３の形成という簡易な構造で実現できたものである。
【００２２】
また本発明は前記第一実施例に限定されるものではなく、例えばコ状部材２５を採用せずに、図８に示す第二実施例のように、外側板２１２の下縁を内方に折返し、当該折返し板部２１４に上方貫通孔２２を設け、更に折返し板部２１４を折曲してストッパー部２４ａを形成し、或いは図９に示す第三実施例のように、コンロ本体１の側面板１２から鋲部材を突設してストッパー部２４ｂとしても良い。
【００２３】
また実施形態として脚装着構造部分をコンロ本体の外側に形成する例を示したが、コンロ本体を側方に延長形成し、当該延長部分においてコンロ本体の内側に脚装着構造部分を形成するようにしても良い。即ちコンロ本体の底面板部に下方貫通孔を形成し、コンロ本体の側面板に、下方貫通孔を形成する部材及び必要とする場合にはストッパー部を内方に突設して形成するものである。
【符号の説明】
【００２４】
１      コンロ本体
１１    周面板
１２    側面板
１３    焼網
２      脚装着部
２１    枠状部
２１１  上面板部
２１２  外側板
２１３  底面板部
２１４  折返し板部
２２    上方貫通孔
２３    下方貫通孔
２４，２４ａ，２４ｂ  ストッパー部
２５    コ状部材
２５１  下方板
２５２  上方板
３      脚杆
３１    抜け止め部
３２    縦溝孔
３３    バネ線材
３４    出没部
【図１】
2020146156.tif 000003
【図２】
2020146156.tif 000004
【図３】
2020146156.tif 000005
【図４】
2020146156.tif 000006
【図５】
2020146156.tif 000007
【図６】
2020146156.tif 000008
【図７】
2020146156.tif 000009
【図８】
2020146156.tif 000010
【図９】
2020146156.tif 000011